(57)【要約】【課題】被験者の運動能力に関係する健康指標を一般家庭でも簡便に再現性よく測定する。【解決手段】被験者の足１３が乗せられる踏台と、踏台に埋設されたブロック８ｂと、ブロック８ｂを上下方向に昇降させることにより被験者の立位姿勢を変化させる姿勢調整部２９，３０，３１と、踏台に足１３を乗せた状態の被験者の重心位置を検出する検出部と、検出部により検出された重心位置から重心動揺パラメータを算出し、算出された重心動揺パラメータに基づき被験者の運動能力に関係する健康指標を算出する演算部とを備える。【選択図】図３
2008104667.tif 000002
【特許請求の範囲】
【請求項１】
被験者の足が乗せられる踏台と、
前記踏台に埋設されたブロック部と
前記ブロック部を上下方向に昇降させることにより被験者の立位姿勢を変化させる姿勢調整部と、
前記踏台に足を乗せた状態の被験者の重心位置を検出する検出部と、
前記検出部により検出された重心位置から重心動揺パラメータを算出し、算出された重心動揺パラメータに基づき被験者の運動能力に関係する健康指標を算出する演算部と
を備えることを特徴とする健康測定装置。
【請求項２】
請求項１に記載の健康測定装置であって、前記姿勢調整部は、前記ブロック部を隆起させることによって被験者の足裏の一部を傾斜させることにより、被験者の立位姿勢を前傾又は後傾姿勢に誘導することを特徴とする健康測定装置。
【請求項３】
請求項１に記載の健康測定装置であって、前記姿勢調整部は、前記ブロック部を沈降させることによって被験者の足裏の一部を沈み込ませることにより、被験者の立位姿勢を前傾又は後傾姿勢に誘導することを特徴とする健康測定装置。
【請求項４】
請求項２又は請求項３に記載の健康測定装置であって、前記足裏の一部は踵又は拇指丘部であることを特徴とする健康測定装置。
【請求項５】
請求項４に記載の健康測定装置であって、前記姿勢調整部は、拇指丘部より先の足裏部に荷重が掛からないように被験者の姿勢を後傾姿勢に誘導することを特徴とする健康測定装置。
【請求項６】
請求項４又は請求項５に記載の健康測定装置であって、前記姿勢調整部は、踵及び拇指丘部の位置を検出する手段を備えることを特徴とする健康測定装置。
【請求項７】
請求項６に記載の健康測定装置であって、前記姿勢調整部は、足の長さと踵及び拇指丘部の位置の関係を示すデータを記憶するデータベースを備え、被験者の足の長さに対応する踵及び拇指丘部の位置のデータを当該データベースから読み出すことにより踵及び拇指丘部の位置を検出することを特徴とする健康測定装置。
【請求項８】
請求項６に記載の健康測定装置であって、前記姿勢調整部は、足裏の圧力分布を検出し、検出された圧力分布に基づいて踵及び拇指丘部の位置を検出することを特徴とする健康測定装置。
【請求項９】
請求項１乃至請求項８のうち、いずれか１項に記載の健康測定装置であって、前記踏台は被験者の足の位置決めを行うための凹型又は凸型部材を備えることを特徴とする健康測定装置。
【請求項１０】
請求項１乃至請求項９のうち、いずれか１項に記載の健康測定装置であって、前記姿勢調整部は、交互かつ連続的に前傾及び後傾姿勢を誘導することを特徴とする健康測定装置。
【請求項１１】
請求項１乃至請求項９のうち、いずれか１項に記載の健康測定装置であって、
少なくとも４つのブロック表面に設けられた電極と、当該電極のうち、２つの電極より印加した電流と残りの２つの出力電極より検出した電圧によりインピーダンスを算出し、所定の変換式に基づき算出されたインピーダンスから体組成を算出することにより被験者の健康状態を判定する手段とを備えることを特徴とする健康測定装置。
【発明の詳細な説明】
【技術分野】
【０００１】
本発明は、身体の重心動揺パラメータから筋力，関節柔軟性，平衡感覚等の身体の運動能力に関係する健康指標を測定する健康測定装置に関する。
【背景技術】
【０００２】
従来より、身体の重心位置の軌跡長や重心位置の軌跡により囲まれる面積等の身体の重心動揺パラメータを測定することにより、身体の運動能力に関係する健康指標を測定する装置が知られている。具体的には、現在の身体の重心位置と目標となる身体の重心位置を表示し、身体の重心位置が現在の重心位置から目標となる重心位置に移動するまでの時間を測定することにより健康指標を測定する装置や、重量計の踏台に掛かる荷重変動から健康指標を測定する装置が考案されている（特許文献１，２参照）。
【特許文献１】特開２００２−２５３５３４号公報
【特許文献２】特開２００６−０５１１５８号公報
【発明の開示】
【発明が解決しようとする課題】
【０００３】
重心動揺パラメータを測定する際には、被験者は閉眼片足立ち姿勢や最大前傾姿勢，最大後傾姿勢等の測定姿勢を所定時間保持する必要があるが、このような測定姿勢を所定時間保持することは高齢者等にとって非常に難しく、安全性の面で問題がある。さらに、最大前傾姿勢や最大後傾姿勢等の測定姿勢は被験者の主観によって異なり、測定姿勢の基準が不明確であるために、測定の度毎に測定姿勢が変化することによって健康指標を再現性よく測定することが難しい。このため、従来の装置は、主に医療機関において使用されており、一般家庭向けには普及していないというのが現状である。
【０００４】
本発明は、上記課題を解決するためになされたものであり、その目的は、身体の運動能力に関係する健康指標を一般家庭でも簡便に再現性よく測定可能な健康測定装置を提供することにある。
【課題を解決するための手段】
【０００５】
本発明に係る健康測定装置は、被験者の足が乗せられる踏台と、踏台に埋設されたブロック部とブロック部を上下方向に昇降させることにより被験者の立位姿勢を変化させる姿勢調整部と、踏台に足を乗せた状態の被験者の重心位置を検出する検出部と、検出部により検出された重心位置から重心動揺パラメータを算出し、算出された重心動揺パラメータに基づき被験者の運動能力に関係する健康指標を算出する演算部とを備える。
【発明の効果】
【０００６】
本発明に係る健康測定装置によれば、踏台に埋設されたブロックを昇降させることにより重心動揺パラメータを算出するために必要な測定姿勢に被験者の姿勢を誘導するので、被験者の運動能力に関係する健康指標を一般家庭でも簡便に再現性よく測定することができる。
【発明を実施するための最良の形態】
【０００７】
以下、本発明の実施形態となる健康測定装置の構成について説明する。
【０００８】
〔第１の実施形態〕
始めに、図１乃至図４を参照して、本発明の第１の実施形態となる健康測定装置の構成について説明する。
【０００９】
〔装置の構成〕
本発明の第１の実施形態となる健康測定装置は、図４に示すように、被験者の両足が乗せられる踏台２、踏台２内部に埋設されたロードセル（荷重センサ）３ａ，３ｂ，３ｃ，３ｄと、ロードセル３ａ，３ｂ，３ｃ，３ｄの出力信号を増幅出力する増幅器４ａ，４ｂ，４ｃ，４ｄと、増幅器４ａ，４ｂ，４ｃ，４ｄの出力信号をＡＤ（アナログ／デジタル）変換するＡＤ変換器５と、ＡＤ変換器５の出力信号を用いて重心動揺パラメータ及び被験者の運動能力に関係する健康指標を演算する演算部６と、被験者の重心位置や演算部６により演算された重心動揺パラメータ及び被験者の運動能力に関係する健康指標を表示する表示部７とを主な構成要素として備える。
【００１０】
健康測定装置の本体１には、図１に示すように、表示部７と、踏台２の所定位置に設けられたブロック８ａ，８ｂと、切替スイッチ９と、電源スイッチ１１と、足固定位置ガイド１２ａ，１２ｂとが設けられている。ブロック８ａ，８ｂは、ゴム弾性体等により形成され、図２に示すように、被験者による切替スイッチ９の押下操作と連動してアクチュエータ（図示せず）により上下方向に昇降制御される。具体的には、ブロック８ａ，８ｂの上面は、通常時は踏台２の面とほぼ同一面になるように埋設されているが、アクチュエータが、ポンプ２９により油圧を発生させ、シリンダー３０内でプランジャー３１を押し出すことにより、図３に示すように所定量隆起する。
【００１１】
〔健康指標測定時の動作〕
このような構成を有する健康測定装置は、以下のように動作することにより被験者の運動能力に関係する健康指標を測定する。すなわち、始めに被験者が、電源スイッチ１１をオン状態に切り替えた後、踏台２に乗り、図２に示すように足固定位置ガイド１２ａ，１２ｂに足１３を合わせて静止立位状態を保持する。次に、増幅器４ａ，４ｂ，４ｃ，４ｄがロードセル３ａ，３ｂ，３ｃ，３ｄの検出信号を増幅し、ＡＤ変換器５が所定のサンプリング周波数で増幅器４ａ，４ｂ，４ｃ，４ｄの出力信号をＡＤ変換する。次に、演算部６が、ＡＤ変換器５の出力信号を重心位置座標に変換し、変換された重心位置座標を用いて軌跡長，矩形面積，平均重心位置等の重心動揺パラメータを算出する。なお、重心動揺パラメータの算出方法は本願発明の出願時点で公知であるのでその説明は省略する。詳しくは、特公昭４８−３３９５０号公報，昭５０−１６９１８号公報，昭６０−１６９１９号公報，特許２７６０４７１号公報，特許２７１０２２３号公報，特許２７６０４７２号公報を参照のこと。
【００１２】
次に、被験者が切替スイッチ９を押下するのに応じてアクチュエータが作動することによって、ブロック８ａ，８ｂが踏台２の水平面から所定量隆起する。そして被験者は再び、足固定位置ガイド１２ａ，１２ｂに足１３を合わせ、図３に示すように足裏の一部、例えば土踏まず１４が持ち上げられた状態で静止立位状態を保持する。土踏まず１４が持ち上げられたことにより、足１３と踏台２との接地面積が減少し、ブロック８ａ，８ｂが隆起していない状態に比べて被験者の身体のバランスは悪くなる。従ってバランスを保持するためには足裏の筋力と足関節の柔軟性が必要になる。そしてこの状態で再び所定時間重心動揺を計測し、軌跡長，矩形面積，平均重心位置等の重心動揺パラメータが算出される。
【００１３】
このように本発明の第１の実施形態となる健康測定装置では、ブロック８ａ，８ｂが隆起することにより２種類の測定姿勢における重心動揺パラメータを算出するので、これらのパラメータを用いて筋力，関節柔軟性，平衡感覚機能等の被験者の運動能力に関係する健康指標を測定することができる。一般に、筋力，関節柔軟性，平衡感覚機能が優れている場合、同姿勢における重心動揺パラメータの差は小さい。一方、筋力，柔軟性，平衡感覚機能が劣っている場合には、両姿勢の重心動揺パラメータの差は大きく現れる。また、運動等トレーニングにより筋力，柔軟性，平衡感覚機能が向上すれば両姿勢の重心動揺パラメータの差は小さくなるためトレーニング効果を簡易的、且つ、安全に計測することができる。
【００１４】
〔第２の実施形態〕
次に、図５，図６を参照して、本発明の第２の実施形態となる健康測定装置の構成について説明する。
【００１５】
本発明の第２の実施形態となる健康測定装置では、図５，図６に示すように、ロック機構１６ａ，１６ｂによって踏台２に傾斜板１５ａ，１５ｂが水平に保持されている。傾斜板１５ａ，１５ｂの上面は、通常時は踏台２の面とほぼ同一面になるように埋設されているが、アクチュエータが、ポンプ２９により油圧を発生させ、シリンダー３０内でプランジャー３１ａ，３１ｂを持ち上げることにより、所定量隆起する。また、ポンプ２９とシリンダー３０間には電磁弁３２ａ，３２ｂが設けられ、ポンプ２９が発生する油圧の切り替えを行うことができる。
【００１６】
〔健康指標測定時の動作〕
このような構成を有する健康測定装置は、以下のように動作することにより被験者の運動能力に関係する健康指標を測定する。すなわち、始めに被験者が、電源スイッチ１１をオン状態に切り替え、図６（ａ）に示すように踏台２に乗り、足固定位置ガイド１２ａ，１２ｂに足を合わせ、静止立位状態を保持する。次に、増幅器４ａ，４ｂ，４ｃ，４ｄがロードセル３ａ，３ｂ，３ｃ，３ｄの検出信号を増幅し、ＡＤ変換器５が所定のサンプリング周波数で増幅器４ａ，４ｂ，４ｃ，４ｄの出力信号をＡＤ変換する。次に、演算部６が、ＡＤ変換器５の出力信号を重心位置座標に変換し、変換された重心位置座標を用いて軌跡長，矩形面積，平均重心位置等の重心動揺パラメータを算出する。
【００１７】
次に被験者が切替スイッチ９を押下するのに応じて、傾斜板１５ｂの一方のロック機構１６ａが解除されると共に電磁弁３２ａ及び電磁弁３２ｂがそれぞれ開状態及び閉状態になる。次に、アクチュエータによってプランジャー３１ａが持ち上がり、ブロック１９ａが隆起することにより、図６（ｂ）に示すように傾斜板１５ｂが傾き、踵部１７が持ち上がる。そしてこの状態で所定時間重心動揺を計測し、軌跡長，矩形面積，平均重心位置等の重心動揺パラメータが算出される。その後、ポンプ２９が油圧を下げることにより傾斜板１５ｂを水平状態に戻し、ロック機構１６ａが作動し傾斜板１５ｂは再び水平に保持される。
【００１８】
次に、被験者が再度切替スイッチ９を押下するのに応じて今度はロック機構１６ｂが解除されると共に、電磁弁３２ａ及び電磁弁３２ｂがそれぞれ閉状態及び開状態になる。次に、アクチュエータによって図６（ｃ）に示すようにブロック１９ｂが隆起し、拇指丘部１８が持ち上がり、所定の角度で身体を傾斜するように誘導させる。そしてこの状態で所定時間重心動揺を計測し、軌跡長，矩形面積，平均重心位置等の重心動揺パラメータが算出される。その後、ポンプ２９が油圧を下げることで傾斜板１５ｂが水平状態まで戻され、ロック機構１６ｂが作動し傾斜板１５ｂは水平に保たれる。
【００１９】
このように本発明の第２の実施形態となる健康測定装置ではブロック８ａ，８ｂが隆起することによって傾斜板１５ａ，１５ｂが傾くことにより３種類の測定姿勢における重心動揺パラメータを算出するので、これらのパラメータを用いて筋力，柔軟性，平衡感覚機能等の被験者の運動能力に関係する健康指標を測定することができる。一般に、被験者の足裏が持ち上がると水平面に立っている状態に比べて被験者の姿勢のバランスが悪くなる。そのため筋力，柔軟性，平衡感覚機能が優れている場合、３種類の測定姿勢におけるパラメータ間の差は小さい。一方、筋力，柔軟性，平衡感覚機能が劣っている場合にはパラメータ間の差は大きく現れる。また、運動等トレーニングにより筋力，柔軟性，平衡感覚機能が向上すればパラメータ間の差は小さくなるため、トレーニング効果を簡易的かつ安全に計測することができる。
【００２０】
〔第３の実施形態〕
次に、図７，図８を参照して、本発明の第３の実施形態となる健康測定装置の構成について説明する。
【００２１】
本発明の第３の実施形態となる健康測定装置では、図７，図８に示すように、踏台２に踵部１７及び拇指丘部１８にほぼ当接するようにブロック１９ａ〜１９ｄが設けられている。ブロック１９ａ〜１９ｄの上面は、通常時は踏台２の面とほぼ同一面になるように埋設されているが、アクチュエータが、ポンプ２９により油圧を発生させ、又は油圧を下げ、シリンダー３０内でプランジャー３１ａ，ｂを上下させることにより、上下方向に所定量移動する。
【００２２】
〔健康指標測定時の動作〕
このような構成を有する健康測定装置は、以下のように動作することにより被験者の運動能力に関係する健康指標を測定する。すなわち、始めに被験者が、電源スイッチ１１をオン状態に切り替え、図８（ａ）に示すように踏台２に乗り、足固定位置ガイド１２ａ，１２ｂに足を合わせ、静止立位姿勢を保持する。次に、増幅器４ａ，４ｂ，４ｃ，４ｄがロードセル３ａ，３ｂ，３ｃ，３ｄの検出信号を増幅し、ＡＤ変換器５が所定のサンプリング周波数で増幅器４ａ，４ｂ，４ｃ，４ｄの出力信号をＡＤ変換する。次に、演算部６が、ＡＤ変換器５の出力信号を重心位置座標に変換し、変換された重心位置座標を用いて軌跡長，矩形面積，平均重心位置等の重心動揺パラメータを算出する。
【００２３】
次に被験者が切替スイッチ９を再び押下するのに応じて、電磁弁３２ａ及び電磁弁３２ｂがそれぞれ開状態及び閉状態になる。次に、アクチュエータが作動することにより、図８（ｂ）に示すようにブロック１９ａが踏台２の水平面から所定量隆起し、踵部１７が持ち上げられることで被験者の姿勢はやや前傾姿勢に誘導される。この状態で所定時間重心動揺を計測し、軌跡長，矩形面積，平均重心位置等の重心動揺パラメータが算出される。
【００２４】
次に被験者が切替スイッチ９を再び押下するのに応じて、ブロック１９ａが踏台２の水平面の位置まで戻った後、電磁弁３２ａ及び電磁弁３２ｂがそれぞれ閉状態及び開状態になる。次に、アクチュエータが作動することにより油圧が発生し、図８（ｃ）に示すようにブロック１９ｂが踏台２の水平面から所定量隆起することにより足裏の拇指丘部１８が持ち上げられる。このとき被験者の身体は拇指丘部１８が持ち上げられることでやや後傾姿勢に誘導される。この状態で所定時間重心動揺を計測し、軌跡長，矩形面積，平均重心位置等の重心動揺パラメータが算出される。その後、ブロック１９ｂは踏台２の水平面の位置まで戻る。
【００２５】
このように本発明の第３の実施形態となる健康測定装置ではブロック１９ａ〜１９ｄが隆起することにより３種類の測定姿勢における重心動揺パラメータが算出されるので、これらのパラメータを用いて、筋力，関節柔軟性，平衡感覚機能等の被験者の運動能力に関係する健康指標を測定することができる。被験者の踵１７及び拇指丘部１８を持ち上げることで、水平面に立っている状態に比べてバランスが悪くなる。従って筋力，関節柔軟性，平衡感覚機能が優れている場合には、各姿勢における重心動揺パラメータ間の差は小さい。一方、筋力，柔軟性，平衡感覚機能が劣っている場合には各姿勢の重心動揺パラメータ間の差は大きく現れる。また、運動等トレーニングにより筋力，柔軟性，平衡感覚機能が向上すれば各姿勢の重心動揺パラメータ間の差は小さくなるため、トレーニング効果を簡易的かつ安全に計測することができる。なお、本実施形態では図８（ｃ）に示すようにブロックが足指にかかることなく拇指丘部１８のみを持ち上げることで足指屈筋力が働かないため、図６に示した傾斜板を用いた測定方法と比較して足関節のみの柔軟性評価が一層明確になる。
【００２６】
〔第４の実施形態〕
次に、図９，図１０を参照して、本発明の第４の実施形態となる健康測定装置の構成について説明する。
【００２７】
本発明の第４の実施形態となる健康測定装置では、ブロック１９ａ〜１９ｄの上面は通常時は図１０（ａ）に示すように踏台２の面とほぼ同一面になるように埋設されている。また図９に示すように、ブロック１９ａ及びブロック１９ｂとブロック１９ｃ及びブロック１９ｄとはエラストマー等の伸縮性材料により形成された連結部２４ａ〜２４ｄによりそれぞれ領域２３ａと領域２３ｂと連結されている。
【００２８】
〔健康指標測定時の動作〕
このような構成を有する健康測定装置は、以下のように動作することにより被験者の運動能力に関係する健康指標を測定する。すなわち、始めに被験者が電源スイッチ１１をオン状態に切り替え、図１０（ａ）に示すように踏台２に乗り、足固定位置ガイド１２ａ，１２ｂに足を合わせ、静止立位で保持する。次に、増幅器４ａ，４ｂ，４ｃ，４ｄがロードセル３ａ，３ｂ，３ｃ，３ｄの検出信号を増幅し、ＡＤ変換器５が所定のサンプリング周波数で増幅器４ａ，４ｂ，４ｃ，４ｄの増幅信号をＡＤ変換する。次に、演算部６が、ＡＤ変換器５の出力信号を重心位置座標に変換し、変換された重心位置座標を用いて軌跡長，矩形面積，平均重心位置等の重心動揺パラメータを算出する。
【００２９】
次に、被験者が切替スイッチ９を押下するのに応じて電磁弁３２ａ及び電磁弁３２ｂがそれぞれ開状態及び閉状態になる。そして、アクチュエータが作動することにより、図１０（ｂ）に示すように、ブロック１９ａが所定量踏み台２の水平面より沈降し、これに応じて領域２３ａもブロック１９ａに引っ張られて傾く。このとき被験者の姿勢は踵が下がることでやや後傾姿勢が誘導される。この状態で所定時間重心動揺を計測し、軌跡長，矩形面積，平均重心位置等の重心動揺パラメータが算出される。
【００３０】
次に、被験者が切替スイッチ９を再び押すのに応じて、ブロック１９ａが踏台２の水平面の位置まで戻った後、電磁弁３２ａ及び電磁弁３２ｂがそれぞれ閉状態及び開状態になる。そしてアクチュエータ１０が作動することにより、図１０（ｃ）に示すように、ブロック１９ｂが所定量踏み台２の水平面より沈降し、領域２３ａもブロック１９ｂに引っ張られて傾く。このとき被験者の姿勢は拇指丘部が下がることでやや前傾姿勢が誘導される。この状態で所定時間重心動揺を計測し、軌跡長，矩形面積，平均重心位置等の重心動揺パラメータが算出される。その後、ブロック１９ｂが踏台２の水平面の位置まで戻る。
【００３１】
このように本発明の第４の実施形態となる健康測定装置ではブロック１９ａ〜１９ｄが沈降することによって領域２３ａ及び領域２３ｂが傾くことにより複数の異なる姿勢における重心動揺パラメータが計測されるので、これらのパラメータを用いて、筋力、関節柔軟性、平衡感覚機能等の被験者の運動能力に関係する健康指標を測定することができる。なお、被験者の踵及び拇指丘を持ち上げることにより、水平面に立っている状態に比べて被験者の姿勢のバランスは悪くなる。ここで筋力，関節柔軟性，平衡感覚機能が優れている場合には、各姿勢における重心動揺パラメータ間の差は小さい。一方、筋力，柔軟性，平衡感覚機能が劣っている場合には各姿勢の重心動揺パラメータ間の差は大きく現れる。また、運動等トレーニングにより筋力，柔軟性，平衡感覚機能が向上すれば各姿勢の重心動揺パラメータ間の差は小さくなるため、トレーニング効果を簡易的かつ安全に計測することができる。また、本実施例では本体１の窪みに足を置くことになるため、万一の場合にも倒れにくく、安全に計測することができる。
【００３２】
〔その他の実施形態〕
図１１に示す健康測定装置では、複数個以上のブロック１９ａ〜１９ｅが踏台２内に埋め込まれ、ブロック１９ａ〜１９ｅとアクチュエータ１０間には上下移動させるブロックを切り替えるための電磁弁等の切替機構が設けられている。また本体１内に設けられたメモリには足のサイズと踵及び拇指丘の位置との関係を表すデータベースが予め記憶されており、被験者が足のサイズを入力することにより例えば被験者の踵及び拇指丘の位置に対応する最適な２個のブロック１９ｂ，ｄが選択される。そしてアクチュエータ１０は切替スイッチ９によりブロック１９ｂ又はブロック１９ｄのみを上下させる。このような構成によれば、被験者の足のサイズによらず、同一条件で筋力，柔軟性，平衡感覚機能を評価することができる。
【００３３】
図１２に示す健康測定装置では、踏台２内に埋設された複数のブロック１９ｉ（１）〜ｉ（ｎ）はエラストマー型感圧センサにより形成されてマトリックスを構成しており、電源スイッチ１１がオン状態になると始めに足裏の圧力分布を計測し、高い圧力分布を示す部位を踵及び拇指丘と特定し、アクチュエータ１０により踵及び拇指丘部分に対応するブロック１９ｉを上下させ、異なる姿勢状態を誘導し、重心動揺パラメータを計測する。このような構成によれば、足の形状によらず、より厳密に筋力，柔軟性，平衡感覚機能を評価することができる。
【００３４】
図１３に示す健康測定装置では、踏台２内に埋設されたブロック１９ａ，ｂの上に踵１７及び拇指丘１８の生理的曲率に合った凹型の部材２０ａ，ｂが設けられている。このような構成によれば、被験者はこの部材に足の踵及び拇指丘を合わせることで簡単に足の位置決めをすることができる。なお、図１４に示すように土踏まず１４の生理的曲率に合わせた凸型の部材２１を設け、土踏まず１４を凸型の部材２１にあわせることによっても簡単に位置決めをすることができる。このようにすることで、位置ずれが少なくなり、測定精度が向上する。
【００３５】
図１５に示す健康測定装置では、足の踵１７及び拇指丘１８のブロック１９ａ，１９ｂが交互に連続的に隆起するように構成されている。このような構成によれば、筋力，足関節，平衡感覚機能の追従性を評価することができる。なお、交互隆起には規則性があってもよいし、不規則であってもよい。このようにすることで動的なバランス能力と筋力、足関節柔軟性が一層詳細にわかる。
【００３６】
図１６（ａ），（ｂ）に示す健康測定装置では、ブロック１９ａ〜１９ｄの表面にそれぞれ足裏電極２２ａ〜２２ｄが設けられ、所定の周波数を有する微弱な交流電流を足裏電極２２ａ，２２ｃにより身体に流し、他方の足裏電極２２ｂ，２２ｄ間の電圧を測定することでインピーダンスを計測し、所定の変換式を用いることで内臓脂肪，筋肉量，水分量等の体組成成分を算出する。このような構成によれば、体組成成分と重心動揺パラメータを組み合わせることにより足裏から体調等の健康状態と運動による改善効果が一層詳細にわかるようになる。
【００３７】
以上、本発明者らによってなされた発明を適用した実施の形態について説明したが、本実施形態による本発明の開示の一部をなす論述及び図面により本発明は限定されることはない。例えば、本実施形態の健康指標測定装置は体組成成分を測定するものであるが、足裏電極を用いて心電計測を同時に行ったり、電極の代わりに光電センサを用いて脈波信号を計測したり、血流状態を同時に測定したり、心電計測と脈波信号を用いて脈波伝播時間を測定したり、所定の変換式に基づき血圧を算出するようにしてもよい。
【００３８】
また本実施形態では、アクチュエータは油圧式であるが、空気圧，水圧，空気ばね等、ブロックを上下に移動させる機構であればどのような構成であってもよい。また、本実施形態では、切替スイッチ９により複数の測定姿勢を誘導するようにしたが、電源スイッチ１１を入れてから複数の測定姿勢における計測を所定のインターバルで連続して行うようにしてもよい。
【００３９】
また本実施形態では、ブロックをアクチュエータにより可動させているが、踏台の所定の位置に予め所定量の窪みを設け、ブロックを埋め込むようにしても良い。また、ブロックの形状は四角柱，円柱，半円柱等の形状でもよい。また本実施形態では、両足を踏台に乗せて計測を行うようにしたが、片足ずつ測定するようにしてもよい。このように、上記実施の形態に基づいて当業者等によりなされる他の実施の形態、実施例及び運用技術等は全て本発明の範疇に含まれることは勿論であることを付け加えておく。
【図面の簡単な説明】
【００４０】
【図１】本発明の第１の実施形態となる健康測定装置の構成を示す上面図である。
【図２】図１に示す健康測定装置の通常時の構成を示す断面図である。
【図３】図１に示す健康測定装置のブロック隆起時の構成を示す断面図である。
【図４】図１に示す健康測定装置の構成を示すブロック図である。
【図５】本発明の第２の実施形態となる健康測定装置の構成を示す上面図である。
【図６】図５に示す健康測定装置の重心動揺パラメータ測定時の動作を説明するための断面図である。
【図７】本発明の第３の実施形態となる健康測定装置の構成を示す上面図である。
【図８】図７に示す健康測定装置の重心動揺パラメータ測定時の動作を説明するための断面図である。
【図９】本発明の第４の実施形態となる健康測定装置の構成を示す上面図である。
【図１０】図９に示す健康測定装置の重心動揺パラメータ測定時の動作を説明するための断面図である。
【図１１】本発明の他の実施形態となる健康測定装置の構成を示す上面図である。
【図１２】本発明の他の実施形態となる健康測定装置の構成を示す上面図である。
【図１３】本発明の他の実施形態となる健康測定装置の構成を示す上面図である。
【図１４】本発明の他の実施形態となる健康測定装置の構成を示す上面図である。
【図１５】本発明の他の実施形態となる健康測定装置の構成を示す上面図である。
【図１６】本発明の他の実施形態となる健康測定装置の構成を示す上面図である。
【符号の説明】
【００４１】
１：本体
２：踏台
３ａ，３ｂ，３ｃ，３ｄ：ロードセル
４ａ，４ｂ，４ｃ，４ｄ：増幅器
５：ＡＤ変換器
６：演算部
７：表示部
８ａ，８ｂ：ブロック
９：切替スイッチ
１０：アクチュエータ
１１：電源スイッチ
１２ａ，１２ｂ：足固定位置ガイド
３０：シリンダー
３１：プランジャー
【図１】
2008104667.tif 000003
【図２】
2008104667.tif 000004
【図３】
2008104667.tif 000005
【図４】
2008104667.tif 000006
【図５】
2008104667.tif 000007
【図６】
2008104667.tif 000008
【図７】
2008104667.tif 000009
【図８】
2008104667.tif 000010
【図９】
2008104667.tif 000011
【図１０】
2008104667.tif 000012
【図１１】
2008104667.tif 000013
【図１２】
2008104667.tif 000014
【図１３】
2008104667.tif 000015
【図１４】
2008104667.tif 000016
【図１５】
2008104667.tif 000017
【図１６】
2008104667.tif 000018